(57)【特許請求の範囲】
【請求項１】
反射型又は透過型の放射線発生部を有する放射線発生装置であって、
放射線発生装置の種別として、反射型放射線発生装置又は透過型放射線発生装置の何れかを選択する選択部と、
前記選択された種別に対応した撮影条件を設定する撮影条件設定部と、
設定された撮影条件で前記放射線発生部を制御する制御部と、を有し、
前記選択部が、反射型放射線発生装置を選択し、
前記撮影条件設定部が、前記反射型放射線発生装置に対応する撮影条件を設定し、
前記選択部により、前記反射型放射線発生装置が、透過型放射線発生装置に切替えられた場合、前記制御部は、前記反射型放射線発生装置に対応する撮影条件を、前記透過型放射線発生装置に対応する撮影条件に変換することを特徴とする放射線発生装置。
【請求項２】
反射型又は透過型の放射線発生部を有する放射線発生装置であって、
放射線発生装置の種別として、反射型放射線発生装置又は透過型放射線発生装置の何れかを選択する選択部と、
前記選択された種別に対応した撮影条件を設定する撮影条件設定部と、
設定された撮影条件で前記放射線発生部を制御する制御部と、を有し、
前記選択部が、透過型放射線発生装置を選択し、
前記撮影条件設定部が、前記透過型放射線発生装置に対応する撮影条件を設定し、
前記選択部により、前記透過型放射線発生装置が、反射型放射線発生装置に切替えられた場合、前記制御部は、前記透過型放射線発生装置に対応する撮影条件を、前記反射型放射線発生装置に対応する撮影条件に変換することを特徴とする放射線発生装置。
【請求項３】
前記撮影条件設定部で設定された撮影条件を表示する撮影条件表示部を更に有し、
前記制御部は、前記変換した撮影条件を前記撮影条件表示部に表示させることを特徴とする請求項１又は２に記載の放射線発生装置。
【請求項４】
前記選択部により選択された種別を表示する選択表示部を更に有し、
前記制御部は、前記種別の切替えに応じて前記選択表示部の表示を変更するように制御することを特徴とする請求項１又は２に記載の放射線発生装置。
【請求項５】
前記制御部は、前記撮影条件表示部の表示状態を変更することにより、前記撮影条件設定部により設定される撮影条件が前記撮影条件の上限値または下限値に達したことを報知することを特徴とする請求項３に記載の放射線発生装置。
【請求項６】
前記撮影条件には、前記放射線発生部の管電圧、放射線の照射時間、および前記放射線発生部の管電流と前記照射時間とを乗算した値、および放射線照射野の絞りが含まれることを特徴とする請求項１又は２に記載の放射線発生装置。
【請求項７】
反射型又は透過型の放射線発生部を有する放射線発生装置と、
前記放射線発生装置から発生し、被検者を透過した放射線を検出する放射線撮影装置と、
前記放射線発生装置と前記放射線撮影装置とを制御する制御装置と、を有する放射線撮影システムであって、
前記制御装置は、
前記放射線発生装置の種別として、反射型放射線発生装置又は透過型放射線発生装置の何れかを選択する選択部と、
前記選択された種別に対応した撮影条件を設定する撮影条件設定部と、
設定された撮影条件で前記放射線発生部を制御する制御部と、を有し、
前記選択部が、反射型放射線発生装置を選択し、
前記撮影条件設定部が、前記反射型放射線発生装置に対応する撮影条件を設定し、
前記選択部により、前記反射型放射線発生装置が、透過型放射線発生装置に切替えられた場合、前記制御部は、前記反射型放射線発生装置に対応する撮影条件を、前記透過型放射線発生装置に対応する撮影条件に変換することを特徴とする放射線撮影システム。
【請求項８】
反射型又は透過型の放射線発生部を有する放射線発生装置と、
前記放射線発生装置から発生し、被検者を透過した放射線を検出する放射線撮影装置と、
前記放射線発生装置と前記放射線撮影装置とを制御する制御装置と、を有する放射線撮影システムであって、
前記制御装置は、
前記放射線発生装置の種別として、反射型放射線発生装置又は透過型放射線発生装置の何れかを選択する選択部と、
前記選択された種別に対応した撮影条件を設定する撮影条件設定部と、
設定された撮影条件で前記放射線発生部を制御する制御部と、を有し、
前記選択部が、透過型放射線発生装置を選択し、
前記撮影条件設定部が、前記透過型放射線発生装置に対応する撮影条件を設定し、
前記選択部により、前記透過型放射線発生装置が、反射型放射線発生装置に切替えられた場合、前記制御部は、前記透過型放射線発生装置に対応する撮影条件を、前記反射型放射線発生装置に対応する撮影条件に変換することを特徴とする放射線撮影システム。
【請求項９】
反射型と透過型の放射線発生部をそれぞれ有する複数の放射線発生装置と、
前記放射線発生装置から発生し、被検者を透過した放射線を検出する放射線撮影装置と、
前記放射線発生装置と前記放射線撮影装置とを制御する制御装置と、を有する放射線撮影システムであって、
前記制御装置は、
放射線撮影に使用する放射線発生装置として、反射型放射線発生装置又は透過型放射線発生装置の何れかを選択する切換え部と、
前記放射線発生装置の種別として、反射型放射線発生装置又は透過型放射線発生装置の何れかを選択する選択部と、
前記選択された種別に対応した撮影条件を設定する撮影条件設定部と、
設定された撮影条件で前記放射線発生部を制御する制御部と、
前記撮影条件に含まれる管電圧と、前記撮影条件に基づいて取得される電力量に対して出力される放射線線量を示す電力効率と、を対応づけたテーブルを記憶する記憶部と、を有し、
前記制御部は、前記選択部により選択された種別が、前記切換え部により選択された放射線発生装置と異なる場合、前記記憶部のテーブルを参照して前記撮影条件の管電圧に対応する電力効率を取得し、前記取得した電力効率を用いて、前記撮影条件を前記放射線発生装置の種別に対応した撮影条件に変換することを特徴とする放射線撮影システム。
【請求項１０】
前記選択部により選択された種別が反射型放射線発生装置であり、前記切換え部により選択された放射線発生装置が透過型放射線発生装置である場合、前記制御部は、前記反射型放射線発生装置に対応する撮影条件を前記透過型放射線発生装置に対応する撮影条件に変換することを特徴とする請求項９に記載の放射線撮影システム。
【請求項１１】
前記選択部により選択された種別が透過型放射線発生装置であり、前記切換え部により選択された放射線発生装置が反射型放射線発生装置である場合、前記制御部は、前記透過型放射線発生装置に対応する撮影条件を前記反射型放射線発生装置に対応する撮影条件に変換することを特徴とする請求項９に記載の放射線撮影システム。
【請求項１２】
前記制御部は、キャリブレーション用の撮影条件により、前記反射型放射線発生装置で放射線撮影を行った結果と、前記キャリブレーション用の撮影条件により、前記透過型放射線発生装置で放射線撮影を行った結果とを比較して、前記撮影条件の変換を行うためのテーブルを生成する、ことを特徴とする請求項９に記載の放射線撮影システム。
【請求項１３】
反射型又は透過型の放射線発生部を有する放射線発生装置の制御方法であって、
放射線発生装置の種別として、反射型放射線発生装置又は透過型放射線発生装置の何れかを選択する工程と、
前記選択された種別に対応した撮影条件を設定する工程と、を有し、
放射線発生装置の種別として、反射型放射線発生装置が選択され、
前記反射型放射線発生装置に対応する撮影条件が設定された場合であって、
前記放射線発生装置の種別が透過型放射線発生装置に切替えられた場合、前記反射型放射線発生装置に対応する撮影条件を、前記透過型放射線発生装置に対応する撮影条件に変換し、
放射線発生装置の種別として、透過型放射線発生装置が選択され、
前記透過型放射線発生装置に対応する撮影条件が設定された場合であって、
前記放射線発生装置の種別が反射型放射線発生装置に切替えられた場合、前記透過型放射線発生装置に対応する撮影条件を、前記反射型放射線発生装置に対応する撮影条件に変換することを特徴とする放射線発生装置の制御方法。
【請求項１４】
請求項１３に記載の放射線発生装置の制御方法の各工程をコンピュータに実行させるためのプログラム。
【発明の詳細な説明】
【技術分野】
【０００１】
本発明は、放射線発生装置、放射線撮影システム、放射線発生装置の制御方法およびプログラムに関する。
【背景技術】
【０００２】
近年、放射線発生装置は人体の病気等を診断する医療分野や物体の微細な内部構造を検査する工業分野等で用いられている。特許文献１には、放射線発生装置の構成として、反射型放射線発生装置および透過型放射線発生装置が開示されている。
【先行技術文献】
【特許文献】
【０００３】
【特許文献１】特開２０１３−９８１６８号公報
【発明の概要】
【発明が解決しようとする課題】
【０００４】
透過型放射線発生装置と反射型放射線発生装置とでは、同じ電力量（管電圧×管電流×撮影時間）に対して照射される放射線線量が異なり、透過型放射線発生装置は反射型放射線発生装置に対して電力効率（電力量に対して出力される放射線線量）も異なる。放射線撮影を行う場合、一般的に診療放射線技師（以下、技師という）は、撮影目的、撮影する被検者の部位、体型、性別、年齢に応じて、撮影条件（管電圧、管電流、曝射時間、撮影距離）を経験的に決めている。
【０００５】
１つの方式の放射線発生装置やシステムに慣れた技師が別の方式の放射線発生装置やシステムを使用する場合、技師は慣れた方式の撮影条件を別の方式の撮影条件へ変換するための作業を行わなければならない。使用する放射線発生装置の方式によっては、適切な撮影条件を設定できない場合が生じ得る。
【０００６】
例えば、反射型放射線発生装置に慣れた技師が、透過型放射線発生装置を用いて放射線撮影する場合、反射型放射線発生装置を用いた時と同じ撮影条件で撮影すると、透過型放射線発生装置は電力効率が高いために強い放射線線量が照射される場合が生じ得る。
【０００７】
本発明は、技師による撮影条件の変換作業を行うことなく、使用する放射線発生装置に対応した撮影条件を設定することが可能な技術の提供を目的とする。
【課題を解決するための手段】
【０００８】
上記の目的を達成するための本発明の一態様による放射線発生装置は、反射型又は透過型の放射線発生部を有する放射線発生装置であって、
放射線発生装置の種別として、反射型放射線発生装置又は透過型放射線発生装置の何れかを選択する選択部と、
前記選択された種別に対応した撮影条件を設定する撮影条件設定部と、
設定された撮影条件で前記放射線発生部を制御する制御部と、を有し、
前記選択部が、反射型放射線発生装置を選択し、
前記撮影条件設定部が、前記反射型放射線発生装置に対応する撮影条件を設定し、
前記選択部により、前記反射型放射線発生装置が、透過型放射線発生装置に切替えられた場合、前記制御部は、前記反射型放射線発生装置に対応する撮影条件を、前記透過型放射線発生装置に対応する撮影条件に変換することを特徴とする。
また、放射線発生装置は、反射型又は透過型の放射線発生部を有する放射線発生装置であって、
放射線発生装置の種別として、反射型放射線発生装置又は透過型放射線発生装置の何れかを選択する選択部と、
前記選択された種別に対応した撮影条件を設定する撮影条件設定部と、
設定された撮影条件で前記放射線発生部を制御する制御部と、を有し、
前記選択部が、透過型放射線発生装置を選択し、
前記撮影条件設定部が、前記透過型放射線発生装置に対応する撮影条件を設定し、
前記選択部により、前記透過型放射線発生装置が、反射型放射線発生装置に切替えられた場合、前記制御部は、前記透過型放射線発生装置に対応する撮影条件を、前記反射型放射線発生装置に対応する撮影条件に変換することを特徴とする。
【発明の効果】
【０００９】
本発明によれば、技師による撮影条件の変換作業を行うことなく、使用する放射線発生装置に対応した撮影条件を設定することが可能になる。
【図面の簡単な説明】
【００１０】
【図１】第１実施形態のポータブル式の透過型放射線発生装置の概略図。
【図２】第１実施形態のポータブル式の反射型放射線発生装置の概略図。
【図３】第２実施形態の天井保持式の透過型放射線撮影システムの概略図。
【図４】管電圧毎の電力効率テーブルの一例を示す図。
【図５】第３実施形態の放射線撮影システムの概略図。
【図６】撮影条件毎の電力効率テーブルの一例を示す図。
【図７】反射型放射線発生装置と透過型放射線発生装置とを用いて、放射線撮影を行う場合の撮影条件と放射線量を例示する図。
【発明を実施するための形態】
【００１１】
以下、図面を参照して、本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００１２】
（第１実施形態）
第１実施形態では、ポータブル式の放射線発生装置の構成として図１では、ポータブル式の透過型放射線発生装置（以下、透過型放射線発生装置という）の構成例を説明する。また、図２では、ポータブル式の反射型放射線発生装置（以下、反射型放射線発生装置という）の構成例を説明する。本実施形態の放射線発生装置は放射線発生部を有する放射線発生装置ある。放射線発生装置は、放射線発生装置の種別を選択する選択部と、選択された種別に対応した撮影条件を設定する撮影条件設定部とを有する。また、放射線発生装置は、選択部により選択された放射線発生装置の種別が切替えられた場合、撮影条件設定部で設定された撮影条件を、切替えられた放射線発生装置の種別に合わせて変換し、放射線発生部の撮影条件として設定する制御部を有する。
【００１３】
図７は、反射型放射線発生装置と透過型放射線発生装置とを用いて、放射線撮影を行う場合の撮影条件と放射線量を例示する図である。透過型放射線発生装置と反射型放射線発生装置とでは、同じ電力量（管電圧×管電流×撮影時間）に対して照射される放射線線量が異なり、透過型放射線発生装置は反射型放射線発生装置に対して電力効率（電力量に対して出力される放射線線量）が２倍になる。
【００１４】
透過型放射線発生装置の電力効率は、例えば、図７に例示したように反射型放射線発生装置の電力効率に対して異なる。以下の説明では、説明の便宜のために、撮影条件における全ての管電圧において透過型放射線発生装置の電力効率が反射型放射線発生装置の電力効率の２倍として説明する。尚、電力効率の相対的な関係はこの例に限定されるものではなく、種々の電力効率においても適用可能である。
【００１５】
図１は、本実施形態における透過型放射線発生装置の概略構成を示す図である。透過型放射線発生装置２００は、透過型の放射線発生部を含んだハウジング２０１（筐体）と放射線照射野を絞るコリメータ２０２、放射線を照射するための照射スイッチ２０３、透過型放射線発生装置２００を把持するためのハンドル２０４を有する。そして、ハウジング２０１の内部には透過型放射線発生装置２００を制御する制御部２０５が配置されている。
【００１６】
また、ハウジング２０１の表面には、撮影条件を表示する撮影条件表示部として、管電圧を表示する管電圧表示部２１０、照射時間を表示する照射時間表示部２１１、ｍＡｓ値を表示するｍＡｓ値表示部２１２が配置されている。
【００１７】
また、ハウジング２０１の表面には、選択された種別に対応した撮影条件を設定する撮影条件設定部として、管電圧を上げるための管電圧アップボタン２２０、管電圧を下げるための管電圧ダウンボタン２２１が配置されている。また、ハウジング２０１の表面には、照射時間を長くするための照射時間アップボタン２２２、照射時間を下げるための照射時間ダウンボタン２２３が配置されている。更に、ハウジング２０１の表面には、選択された種別に対応した撮影条件を設定する撮影条件設定部として、ｍＡｓ値を上げるためのｍＡｓ値アップボタン２２４、ｍＡｓ値を下げるためのｍＡｓ値ダウンボタン２２５が配置されている。
【００１８】
放射線撮影時の管電圧を設定する場合、技師が管電圧表示部２１０に表示されている管電圧を見ながら、管電圧アップボタン２２０又は管電圧ダウンボタン２２１を押す。制御部２０５は、管電圧アップボタン２２０又は管電圧ダウンボタン２２１が押されたことを検知すると、押されたボタンに応じて管電圧表示部２１０に表示されている管電圧を変化させる。技師は管電圧表示部２１０を見ながら、管電圧アップボタン２２０又は管電圧ダウンボタン２２１の操作により所望の管電圧を設定することができる。
【００１９】
また、第１実施形態の透過型放射線発生装置２００において、管電流は、例えば、２０ｍＡ（固定値）としている。制御部２０５は照射時間アップボタン２２２又は照射時間ダウンボタン２２３が押されたのを検知すると、照射時間表示部２１１に表示される照射時間を変更する。そして、制御部２０５は照射時間および管電流（２０ｍＡ）からｍＡｓ値（管電流と照射時間とを乗算した値）を計算し、ｍＡｓ値表示部２１２に表示されるｍＡｓ値を変更する。逆に、制御部２０５はｍＡｓ値アップボタン２２４又はｍＡｓ値ダウンボタン２２５が押されたことを検知すると、ｍＡｓ値表示部２１２に表示されるｍＡｓ値を変更する。そして、制御部２０５は照射時間表示部２１１に表示される照射時間を変更する。
【００２０】
制御部２０５は撮影条件表示部（２１０〜２１２）の表示状態を変更することにより、撮影条件設定部（２２０〜２２５）により設定される撮影条件が撮影条件の上限値または下限値に達したことを報知する。透過型放射線発生装置２００は管電圧、照射時間、ｍＡｓ値に関して予め上限値と下限値が決められている。そのため、例えば、照射時間の設定値が上限値に達した時に、制御部２０５は照射時間アップボタンが押されたのを検知すると、それ以上、照射時間を上げないように照射時間表示部２１１の照射時間の表示状態を制御する。照射時間の設定値が上限値に達した時に、制御部２０５は照射時間表示部２１１の表示状態を点滅させて、技師に報知する。このような表示制御により、技師は上限値に達したことを知ることができる。制御部２０５は照射時間の下限値に達した場合も、上限値の表示制御と同様の表示制御を行う。照射時間を例にして説明したが、制御部２０５は管電圧、ｍＡｓ値に関しても同様に表示制御を行うことが可能である。
【００２１】
更に、ハウジング２０１の表面には、放射線発生装置の種別を選択する選択部と、選択部により選択された種別を表示する選択表示部とが配置されている。選択表示部の構成として、例えば、ＬＥＤ（Light  Emitting  Diode）からなる反射表示部２１３と、選択部の構成として反射スイッチ２２６とが配置されている。制御部２０５は反射スイッチ２２６が押されると反射表示部２１３を点灯し、制御部２０５は再度、反射スイッチ２２６が押されるのを検知すると反射表示部２１３を消灯する。反射表示部２１３が点灯した状態は反射型放射線発生装置用の撮影条件の設定状態であることを示している（図１（ｂ））。反射表示部２１３が消灯した状態は透過型放射線発生装置用の撮影条件の設定状態であることを示している（図１（ａ））。
【００２２】
制御部２０５は、選択部（反射スイッチ２２６）による種別の切替えに応じて、選択表示部（反射表示部２１３）の表示を変更するように制御する。図１において、図１（ａ）は制御部２０５の表示制御により反射表示部２１３が消灯した状態を示し、図１（ｂ）は制御部２０５の表示制御により反射表示部２１３が点灯した状態を示している。
【００２３】
制御部２０５は、異なる放射線発生装置の間で撮影条件を変換し、変換した撮影条件を撮影条件表示部に表示する機能を有する。例えば、制御部２０５は、透過型放射線発生装置の撮影条件を反射型放射線発生装置の撮影条件に変換して表示する機能と、反射型放射線発生装置の撮影条件を透過型放射線発生装置の撮影条件に変換して表示する機能を持つ。例えば、反射表示部２１３が消灯した状態で撮影条件（第１実施形態では、管電圧、照射時間、ｍＡｓ値）が設定されると、制御部２０５は、この撮影条件を透過型放射線発生装置２００が実際に撮影する時の撮影条件として設定する。
【００２４】
この状態で制御部２０５は反射スイッチ２２６が押されたことを検知すると、制御部２０５は反射表示部２１３を点灯する。そして、制御部２０５は管電圧表示部２１０、照射時間表示部２１１、ｍＡｓ値表示部２１２に表示されている撮影条件を反射型放射線発生装置の撮影条件に変換して各表示部の表示を切り換える。図１（ａ）は透過型放射線発生装置の撮影条件を表示しており、図１（ｂ）は反射型放射線発生装置の撮影条件を表示している。
【００２５】
第１実施形態では、撮影条件における全ての管電圧において電力効率を２倍として説明している。電力効率は照射時間とｍＡｓ値とに依存しているので、管電圧は変化していない。制御部２０５は変換した撮影条件を撮影条件表示部（２１０〜２１２）に表示させる。すなわち、制御部２０５は透過型放射線発生装置の撮影条件（図１（ａ））を反射型放射線発生装置の撮影条件（図１（ｂ））に変換して表示する。制御部２０５の表示制御により、照射時間は０．６０秒から１．２０秒に切り換わり、ｍＡｓ値は１２．０ｍＡｓから２４．０ｍＡｓに切り換わる。
【００２６】
逆に、反射表示部２１３が点灯した状態で反射型放射線発生装置の撮影条件を設定された後に、制御部２０５は反射スイッチ２２６が押されたことを検知すると、制御部２０５は反射表示部２１３を消灯する。そして、制御部２０５は管電圧表示部２１０、照射時間表示部２１１、ｍＡｓ値表示部２１２に表示されている撮影条件を透過型放射線発生装置の撮影条件に変換して各表示部の表示を切り換える。
【００２７】
選択部（反射スイッチ２２６）が反射型放射線発生装置（第１の種別の放射線発生装置）を選択し、撮影条件設定部（２２０〜２２５）が反射型放射線発生装置（第１の種別の放射線発生装置）に対応する撮影条件を設定する。反射スイッチにより反射型放射線発生装置（第１の種別の放射線発生装置）が透過型放射線発生装置（第２の種別の放射線発生装置）に切替えられた場合、制御部２０５は反射型放射線発生装置に対応する撮影条件を透過型放射線発生装置に合わせて変換する。
【００２８】
例えば、反射型放射線発生装置の操作に慣れた技師が透過型放射線発生装置を使用する場合を説明する。この場合、技師は、反射表示部２１３が点灯した状態（反射型放射線発生装置用の撮影条件の設定状態）で、反射型放射線発生装置を用いて撮影する時と同じ撮影条件を設定する（図１（ｂ））。次に、技師が反射スイッチ２２６を押して反射表示部２１３を消灯した状態（透過型放射線発生装置用の撮影条件の設定状態）にすると、制御部２０５は透過型放射線発生装置の撮影条件に変換し、変換後の撮影条件の表示に切り換える（図１（ａ））。そして、この状態で技師が照射スイッチ２０３を押すと、図１（ａ）に示す透過型放射線発生装置の撮影条件で放射線撮影を行うことができる。
【００２９】
また、透過型放射線発生装置に慣れた技師が透過型放射線発生装置を使用する場合、技師は反射表示部２１３が消灯した状態で透過型放射線発生装置の撮影条件を設定する。その状態で技師は照射スイッチ２０３を押すと、設定された撮影条件で放射線撮影を行うことができる。
【００３０】
以上より、反射型放射線発生装置の操作に慣れた技師が透過型放射線発生装置を使用する場合、技師は反射スイッチ２２６を操作して反射表示部２１３を点灯した状態にして反射型放射線発生装置の操作時と同じ撮影条件を設定すればよい。この状態で制御部２０５は反射スイッチ２２６が押されたことを検知すると、制御部２０５は反射型放射線発生装置の撮影条件を透過型放射線発生装置の撮影条件に変換する。制御部２０５の変換処理により、技師は撮影条件の変更作業を行わなくても、適切な撮影条件で放射線撮影を行うことが可能になり、放射線撮影時における撮影条件の設定の煩わしさを低減することができる。
【００３１】
また、透過型放射線発生装置になれた技師が透過型放射線発生装置を使用する場合、技師は反射スイッチ２２６を操作して反射表示部２１３が消灯した状態にする。そして、技師が透過型放射線発生装置の撮影条件を設定すれば、制御部２０５はこの撮影条件を透過型放射線発生装置の撮影条件として設定する。技師が設定した撮影条件により放射線撮影を行うことができるので、放射線撮影時における撮影条件の設定の煩わしさを低減ことができる。
【００３２】
図１では、ポータブル式の透過型放射線発生装置を一例として説明したが、放射線発生装置の種類はこの例に限定されず、ポータブル式の反射型放射線発生装置でもよい。図２は、本実施形態における反射型放射線発生装置の概略構成を示す図である。反射型放射線発生装置２５０は、ハウジング２５１の内部に不図示の反射型の放射線発生部を有している。ハウジング２５１の内部には反射型放射線発生装置２５０を制御する制御部２５５が配置されている。コリメータ２０２、照射スイッチ２０３、反射型放射線発生装置２５０を把持するためのハンドル２０４（把持部）の構成については図１で説明した透過型放射線発生装置と同様である。
【００３３】
ハウジング２５１の表面には、反射スイッチ２２６の代わりに透過スイッチ２２７と、反射表示部２１３の代わりに透過表示部２１４が配置されている。透過スイッチ２２７は、放射線発生装置の種別を選択する選択部として機能する。また、透過表示部２１４は、選択部（透過スイッチ２２７）により選択された種別を表示する選択表示部として機能する。
【００３４】
制御部２５５は透過スイッチ２２７が押されると透過表示部２１４を点灯し、制御部２５５は再度、透過スイッチ２２７が押されるのを検知すると透過表示部２１４を消灯する。透過表示部２１４が点灯した状態は透過型放射線発生装置用の撮影条件の設定状態であることを示している。透過表示部２１４が消灯した状態は反射型放射線発生装置用の撮影条件の設定状態であることを示している。
【００３５】
また、ハウジング２５１の表面には、撮影条件を表示する撮影条件表示部として、管電圧表示部２１０、照射時間表示部２１１、およびｍＡｓ値表示部２１２が配置されている。また、ハウジング２５１の表面には、選択された種別に対応した撮影条件を設定する撮影条件設定部として、管電圧アップボタン２２０、管電圧ダウンボタン２２１が配置されている。また、ハウジング２５１の表面には、照射時間アップボタン２２２、照射時間ダウンボタン２２３、ｍＡｓ値アップボタン２２４、およびｍＡｓ値ダウンボタン２２５が配置されている。各表示部および各ボタンの配置は図１と同様である。
【００３６】
制御部２５５は、異なる放射線発生装置の間で撮影条件を変換し、変換した撮影条件を表示部に表示する機能を有する。例えば、制御部２５５は、透過型放射線発生装置の撮影条件を反射型放射線発生装置の撮影条件に変換して表示する機能と、反射型放射線発生装置の撮影条件を透過型放射線発生装置の撮影条件に変換して表示する機能を持つ。
【００３７】
例えば、透過表示部２１４が消灯した状態で撮影条件（例えば、管電圧、照射時間、ｍＡｓ値）が設定されると、制御部２５５は、この撮影条件を反射型放射線発生装置２５０が実際に撮影する時の撮影条件として設定する。この状態で制御部２５５は透過スイッチ２２７が押されたことを検知すると、制御部２５５は透過表示部２１４を点灯する。そして、制御部２５５は管電圧表示部２１０、照射時間表示部２１１、ｍＡｓ値表示部２１２に表示されている撮影条件を透過型放射線発生装置の撮影条件に変換して各表示部の表示を切り換えることが可能である。
【００３８】
逆に、透過表示部２１４が点灯した状態で透過型放射線発生装置の撮影条件を設定された後に、制御部２０５は透過スイッチ２２７が押されたことを検知すると、制御部２５５は透過表示部２１４を消灯する。そして、制御部２５５は管電圧表示部２１０、照射時間表示部２１１、ｍＡｓ値表示部２１２に表示されている撮影条件を反射型放射線発生装置の撮影条件に変換して各表示部の表示を切り換える。
【００３９】
選択部（透過スイッチ２２７）が透過型放射線発生装置（第１の種別の放射線発生装置）を選択し、撮影条件設定部（２２０〜２２５）が透過型放射線発生装置（第１の種別の放射線発生装置）に対応する撮影条件を設定する。透過スイッチにより透過型放射線発生装置（第１の種別の放射線発生装置）が反射型放射線発生装置（第２の種別の放射線発生装置）に切替えられた場合、制御部２０５は透過型放射線発生装置に対応する撮影条件を反射型放射線発生装置に合わせて変換する。
【００４０】
例えば、透過型放射線発生装置の操作に慣れた技師が反射型放射線発生装置を使用する場合を説明する。この場合、技師は、透過スイッチ２２７を操作して透過表示部２１４を点灯した状態（透過型放射線発生装置用の撮影条件の設定状態）にする。そして、技師は透過型放射線発生装置を操作するときと同じ撮影条件を設定する。次に、技師が透過スイッチ２２７を押して透過表示部２１４を消灯した状態にすると、制御部２５５は透過型放射線発生装置の撮影条件を反射型放射線発生装置の撮影条件に変換し、変換後の撮影条件の表示に切り換える。この状態で技師が照射スイッチ２０３を押すと、反射型放射線発生装置の撮影条件で放射線撮影を行うことができる。
【００４１】
また、反射型放射線発生装置の操作に慣れた技師が反射型放射線発生装置を使用する場合、技師は透過表示部２１４が消灯した状態で反射型放射線発生装置の撮影条件を設定する。その状態で技師は照射スイッチ２０３を押すと、設定された撮影条件で放射線撮影を行うことができる。
【００４２】
また、本実施形態における放射線発生装置を制御する制御部２０５、２５５（制御装置）による放射線発生装置の制御方法は、以下の各工程を有する。まず、選択部が、放射線発生装置の種別を選択する。次に、撮影条件設定部が、選択された種別に対応した撮影条件を設定する。そして、制御部が、選択された種別が放射線発生装置の種別と異なる場合、撮影条件を放射線発生装置の種別に合わせて変換し、放射線発生装置の撮影条件として設定する。
【００４３】
以上より、透過型放射線発生装置の操作に慣れた技師が反射型放射線発生装置を使用する場合、技師は透過スイッチ２２７を操作して透過表示部２１４を点灯した状態にして透過型放射線発生装置の操作時と同じ撮影条件を設定すればよい。この状態で制御部２５５は透過スイッチ２２７が押されたことを検知すると、制御部２５５は透過型放射線発生装置の撮影条件を反射型放射線発生装置の撮影条件に変換する。制御部２５５の変換処理により、技師は撮影条件の変更作業を行わなくても、適切な撮影条件で放射線撮影を行うことが可能になり、放射線撮影時における撮影条件の設定の煩わしさを低減することができる。
【００４４】
第１実施形態では、ハウジング２０１の表面に、反射表示部２１３と反射スイッチ２２６、透過表示部２１４、透過スイッチ２２７が配置されている構成を説明したが、この構成に限定されるものではない。例えば、技師が、撮影条件を設定する時に透過型の撮影条件を表示しているか、それとも反射型の撮影条件を表示しているのか、撮影条件の設定状態を識別することができる構成であればよい。
【００４５】
また、第１実施形態では、透過型放射線発生装置は反射型放射線発生装置と比較して、撮影条件における全ての管電圧において電力効率が２倍として説明したが、それに限定されるものではなく、例えば管電圧に依存して電力効率が変化するようにしてもよい。例えば技師が放射線線量計を用いて電力効率を計算し、その値を基に電力効率の値を変更するようにしてもよい。
【００４６】
また、第１実施形態では、撮影条件として管電圧、照射時間、ｍＡｓ値を設定するものとして説明したが、それに限定されるものではなく、管電流、照射時間を撮影条件として設定することも可能である。例えば、撮影条件として、コリメータ２０２における放射線照射野の絞りを含めることが可能である。
【００４７】
本実施形態では管電流が２０ｍＡの場合を例示的に説明したが、例えば、２０ｍＡ〜１００ｍＡなど、撮影条件として種々の管電流の値を設定することが可能である。ハウジング２０１に管電流や照射時間を設定するためのボタンと、管電流や照射時間の表示部を配置することも可能である。これにより、技師は管電流、照射時間の設定および確認をすることが可能になる。
【００４８】
本実施形態によれば、技師による撮影条件の変換作業を行うことなく、使用する放射線発生装置に対応した撮影条件を設定することが可能になる。
（第２実施形態）  
第２実施形態では、天井保持式の透過型放射線撮影システムの構成を一例として説明する。透過型放射線装置の電力効率は、反射型放射線発生装置と比較すると、管電流に対しては一定であるが、管電圧に対して変化する場合について説明する。  図３は、天井保持式の透過型放射線撮影システム（以下、透過型放射線撮影システムという）の概略構成を示す図である。透過型放射線撮影システム３００は、放射線撮影部１００、制御部３０１（制御装置）、透過型放射線発生部３１０、天井レールから延びて放射線発生部を支持する支柱部３１１を有する。放射線撮影システムは放射線発生装置を有する。ここで、透過型放射線発生部３１０および支柱部３１１は放射線発生装置として機能する。
【００４９】
また、本実施形態において、放射線発生装置を制御する制御部３０１（制御装置）による放射線発生装置の制御方法は、以下の各工程を有する。まず、制御部３０１の選択部が、放射線発生装置の種別を選択する。次に、制御部３０１の撮影条件設定部が、選択された種別に対応した撮影条件を設定する。そして、制御部３０１が、選択された種別が放射線発生装置の種別と異なる場合、撮影条件を放射線発生装置の種別に合わせて変換し、放射線発生装置の撮影条件として設定する。
【００５０】
放射線発生装置を有する放射線撮影システムは、放射線発生装置の種別を選択する選択部と、選択された種別に対応した撮影条件を設定する撮影条件設定部とを有する。また、放射線撮影システムは、選択部により選択された種別が放射線発生装置の種別と異なる場合、撮影条件を放射線発生装置の種別に合わせて変換し、放射線発生装置の撮影条件として設定する制御部を有する。
【００５１】
放射線撮影部１００は、例えば無線通信可能なＦＰＤ（Flat  Panel  Detector）により構成することが可能であり、撮影した放射線画像は無線通信で制御部３０１に転送される。また、透過型放射線発生部３１０は制御部３０１と有線で接続しており、制御部３０１からの指示に従って動作することが可能である。
【００５２】
そして、制御部３０１は撮影条件設定・表示部３０２、放射線を照射するための放射線照射スイッチ３０３、撮影した放射線画像を表示するＧＵＩ３０４（Graphical  User  Interface）を有する。ＧＵＩ３０４は、制御部３０１の制御の下に画像処理が施された画像を表示することが可能である。
【００５３】
制御部３０１は、放射線発生装置の種別を選択する選択部として機能する反射スイッチ３０６と、選択部により選択された種別を表示する選択表示部として機能する反射表示部３０７と有する。また、制御部３０１は、撮影条件表示部として、管電圧表示部３５１、管電流表示部３５２、照射時間表示部３５３、ｍＡｓ値表示部３５４を有する。
【００５４】
また、制御部３０１は、撮影条件設定部として、管電圧アップボタン３５５、管電圧ダウンボタン３５６、管電流を上げるための管電流アップボタン３５７、管電流を下げるための管電流ダウンボタン３５８を有する。また、制御部３０１は、撮影条件設定部として、照射時間アップボタン３５９、照射時間ダウンボタン３６０、ｍＡｓ値アップボタン３６１、ｍＡｓ値ダウンボタン３６２を有する。
【００５５】
図４は、透過型放射線発生部３１０の管電圧毎の電力効率をテーブルにした図である。このテーブルは、撮影条件に含まれる管電圧と、撮影条件に基づいて取得される電力量に対して出力される放射線線量を示す電力効率とを対応づける。電力量を取得するためのパラメータには、管電圧の他、放射線の照射時間と管電流とがあるが、本実施形態では説明の便宜のため、照射時間および管電流に対して電力効率は一定であるものとする。
【００５６】
図４に示すテーブルにおいて、管電圧が大きくなるにしたがって、電力効率が大きくなる。そのため、管電圧が大きくなるにしたがって、透過型放射線発生部３１０は反射型放射線発生装置と比較すると少ない電力で所定の放射線量を照射することができる。制御部３０１は、記憶部のテーブルを参照して撮影条件の管電圧に対応する電力効率を取得し、取得した電力効率を用いて撮影条件を変換する。
【００５７】
図４に示したテーブルは制御部３０１が有する不図示の記憶部に記憶されている。尚、図４に示した電力効率のテーブルは一例であり、それに限定されるものではなく、例えば、技師が放射線線量計を用いて電力効率を計算し、その値を基に電力効率のテーブルを作成、変更することが可能である。例えば、制御部３０１は、ＧＵＩ３０４を介した技師による編集操作に基づいて、電力効率のテーブルを記憶部に記憶し、更新することが可能である。また、図４では、管電圧が大きくなるにしたがって、電力効率が大きくなる例を示しているが、テーブルの構成例は、この例に限定されるものではない。例えば、電力効率が管電流と管電圧の両方に依存する場合は、予め管電流と管電圧で電力効率がどのように変化するかをテーブルに記憶させておき、制御部３０１はそのテーブルを用いて撮影条件の変換を行ってもよい。  
また、反射型放射線発生装置の撮影条件が下記の場合、
管電圧  ：１３０ｋＶ、管電流  ：７２ｍＡ
撮影時間：０．０５秒、ｍＡｓ値：３．６
撮影距離：２００ｃｍ
上記の反射型放射線発生装置の撮影条件における放射線量と同じ放射線線量を、透過型放射線発生部３１０を用いて照射するための撮影条件は以下のようになる。管電圧１３０ｋＶに対応する電力効率は図４のテーブルより１．８０である。透過型放射線発生部３１０を用いて同じ放射線線量を照射するには、撮影時間を０．０５秒とすると、下記の撮影条件になる。
【００５８】
管電圧  ：１３０ｋＶ、管電流  ：４０ｍＡ（＝７２ｍＡ／１．８０）
撮影時間：０．０５秒、ｍＡｓ値：２（＝３．６／１．８０）
撮影距離：２００ｃｍ
上記の例は、撮影時間を一定（０．０５秒）とし、管電流が変化する場合を示したが、それに限定されるものではなく、例えば、管電流を一定とし、撮影時間を変更する構成でもよい。
【００５９】
次に、透過型放射線撮影システム３００を用いて、技師が被検者１０１を放射線撮影する場合について説明する。
【００６０】
選択部（反射スイッチ３０６）により選択された種別が反射型放射線発生装置であり、放射線発生装置の種別が透過型放射線発生装置である場合、制御部３０１は、反射型放射線発生装置に対応する撮影条件を透過型放射線発生装置に合わせて変換する。例えば、反射型放射線発生装置の操作に慣れた技師が透過型放射線撮影システム３００を使用する場合、技師は選択部（反射スイッチ３０６）を操作して反射表示部３０７を点灯状態にする。そして、技師は反射型放射線発生装置を用いて撮影する場合と同じ撮影条件（第２実施形態では、管電圧、管電流、照射時間、ｍＡｓ値）を、撮影条件設定部の各ボタン（３５５〜３６２）を操作して設定する。この設定の結果は、制御部３０１の表示制御により、撮影条件表示部（３５１〜３５４）に表示される。
【００６１】
そして、技師は、被検者１０１の撮影部位が撮影できるように、放射線撮影部１００と透過型放射線発生部３１０とを配置し、その後、技師は放射線照射スイッチ３０３を押して放射線撮影を行う。実際に撮影される場合に、撮影条件は制御部３０１により自動的に変換される。制御部３０１は、記憶部に記憶されている管電圧と電力効率との関係を参照して、撮影条件の管電圧１３０ｋＶに対応する電力効率１．８０を取得する。制御部３０１は取得した電力効率に基づいて、反射型放射線発生装置を用いて撮影する場合と同じ撮影条件を、透過型放射線撮影システム３００用の撮影条件に変換する。放射線撮影の際には、変換された撮影条件が適用される。
【００６２】
放射線撮影が終了すると、放射線撮影部１００は無線通信で撮影した放射線画像を制御部３０１に転送する。制御部３０１は撮影した放射線画像を受信すると、画像処理等を施してＧＵＩ３０４に表示する。もし技師が撮影した画像を確認するために表示画像の一部を拡大したい場合は、ＧＵＩ３０４を操作して画像を拡大することができる。
【００６３】
そして、撮影した画像に問題ないことを確認したら、制御部３０１の内部にある不図示の記憶部に撮影した放射線画像を記憶することができる。制御部３０１は、記憶する放射線画像に、透過型放射線発生部で撮影した情報や撮影条件を付加することが可能である。放射線画像を表示する際に、制御部３０１は付加した情報を放射線画像と組み合せてＧＵＩ３０４に表示することが可能である。また、技師が反射スイッチ３０６を操作して反射表示部３０７を消灯状態にすれば、制御部３０１は、透過型放射線撮影システム３００が実際に撮影した時の撮影条件を撮影条件表示部（３５１〜３５４）に表示する。このような制御部３０１の表示制御により、技師は撮影に用いた撮影条件を迅速に確認することができる。
【００６４】
反射型放射線発生装置の操作に慣れた技師が天井保持式の透過型放射線撮影システムを使用する場合、制御部３０１の変換処理により、技師は撮影条件の変更作業を行わなくても、適切な撮影条件で放射線撮影を行うことが可能になる。これにより、放射線撮影時における撮影条件の設定の煩わしさを低減することができる。
【００６５】
第２実施形態では、天井保持式の透過型放射線撮影システムとして説明したが、この例に限定されるものではなく、例えば、天井保持式の反射型放射線撮影システムでもよい。天井保持式の反射型放射線撮影システムの場合、反射スイッチ３０６の代わりに透過スイッチが制御部３０１の撮影条件設定・表示部３０２に配置され、反射表示部３０７の代わりに透過表示部が撮影条件設定・表示部３０２に配置される。
【００６６】
選択部（透過スイッチ）により選択された種別が透過型放射線発生装置であり、放射線発生装置の種別が反射型放射線発生装置である場合、制御部３０１は、透過型放射線発生装置に対応する撮影条件を反射型放射線発生装置に合わせて変換する。  例えば、透過型放射線撮影システムの操作に慣れた技師が反射型放射線撮影システムを使用する場合、技師は選択部（透過スイッチ）を操作して透過表示部を点灯状態にする。そして、技師が透過型放射線撮影システムの操作時と同じ撮影条件を設定すれば、制御部３０１は技師により設定された撮影条件を、反射型放射線撮影システムの撮影条件に変換する。
【００６７】
実際に撮影される場合に、技師により設定された撮影条件は制御部３０１により自動的に変換される。制御部３０１の記憶部には、管電圧毎の電力効率を示すテーブルが記憶されており、撮影条件を変換する際に制御部３０１はテーブルの値を参照する。制御部３０１は、記憶部に記憶されている管電圧と電力効率との関係を参照して、撮影条件の管電圧に対応する電力効率を取得する。制御部３０１は取得した電力効率に基づいて、透過型放射線発生装置を用いて撮影する場合と同じ撮影条件を、反射型放射線撮影システム用の撮影条件に変換する。放射線撮影の際には、変換された撮影条件が適用される。
【００６８】
制御部３０１の変換処理により、技師は撮影条件の変更作業を行わなくても、適切な撮影条件で放射線撮影を行うことが可能になる。これにより、放射線撮影時における撮影条件の設定の煩わしさを低減することができる。
【００６９】
また、第２実施形態では、放射線撮影部１００は無線通信可能なＦＰＤとして説明したが、この構成に限定されるものではなく、例えば、有線通信を行うＦＰＤでもよい。また、第２実施形態では、撮影条件設定・表示部３０２は制御部３０１にあるとして説明したが、それに限定されるものではなく、例えばＧＵＩ３０４にあってもよいし、また、制御部３０１と透過型放射線発生部３１０の両方にあってもよい。
【００７０】
本実施形態によれば、技師による撮影条件の変換作業を行うことなく、使用する放射線撮影システムに対応した撮影条件を設定することが可能になる。
【００７１】
（第３実施形態）
第３実施形態では、天井保持式の反射型放射線発生部（以下、反射型放射線発生部という）と透過型放射線発生部（以下、透過型放射線発生部という）の２つの方式の放射線発生部を有する放射線撮影システムの構成を一例として説明する。
【００７２】
図５は、１つの反射型放射線発生部と１つの透過型放射線発生部とを有する放射線撮影システムの概略構成を示す図である。放射線撮影システムは、例えば、立位撮影時に用いられる放射線撮影部１００、撮影架台１０２、臥位撮影時に用いられる放射線撮影部１０３、放射線撮影システム全体を制御する制御部４０１（制御装置）を有する。また、放射線撮影システムは、反射型放射線発生部４２０、天井レールから延びて反射型放射線発生部４２０を支持する支柱部４２１、透過型放射線発生部４２２、透過型放射線発生部４２２を支持する支柱部４２３を有する。反射型放射線発生部４２０および支柱部４２１は、反射型放射線発生装置として機能する。また、透過型放射線発生部４２２および支柱部４２３は、透過型放射線発生装置として機能する。
【００７３】
放射線撮影部１００および放射線撮影部１０３は、例えば無線通信可能なＦＰＤにより構成することが可能であり、撮影した放射線画像は無線通信で制御部４０１に転送される。反射型放射線発生部４２０および透過型放射線発生部４２２は制御部４０１と有線で接続しており、制御部４０１からの指示に従って動作することが可能である。
【００７４】
制御部４０１は撮影条件設定・表示部４０２、放射線を照射するための放射線照射スイッチ４０３、撮影した放射線画像を表示するＧＵＩ４０４を有する。ＧＵＩ４０４は、制御部４０１の制御の下に画像処理が施された画像を表示することが可能である。制御部４０１は、放射線撮影に使用する放射線発生部を選択する放射線発生部切換えボタン４０５、４０６、および、選択された放射線発生部を表示する表示部４０７、４０８を有する。また、制御部４０１は、放射線撮影に使用する放射線撮影部を選択する放射線撮影部切換えボタン４０９、４１０、および、選択された放射線撮影部を表示する表示部４１１、４１２を有する。
【００７５】
制御部４０１は、反射スイッチ４１６、反射表示部４１７、および撮影条件表示部（管電圧表示部４５１、管電流表示部４５２、照射時間表示部４５３、ｍＡｓ値表示部４５４）を有する。また、制御部４０１は、撮影条件設定部として、管電圧アップボタン４５５、管電圧ダウンボタン４５６、管電流アップボタン４５７、管電流ダウンボタン４５８を有する。また、制御部３０１は、撮影条件設定部として、照射時間アップボタン４５９、照射時間ダウンボタン４６０、ｍＡｓ値アップボタン４６１、ｍＡｓ値ダウンボタン４６２を有する。
【００７６】
例えば、反射型放射線発生部４２０と放射線撮影部１００とを用いて被検者１０１の胸部を立位で放射線撮影する場合、技師が放射線発生部切換えボタン４０５を選択すると表示部４０７が点灯して反射型放射線発生部４２０が使用できる状態になる。そして、技師が放射線撮影部切換えボタン４０９を選択すると表示部４１１が点灯して放射線撮影部１００が使用できる状態になる。
【００７７】
また、透過型放射線発生部４２２と放射線撮影部１０３とを用いて被検者１０１を臥位で放射線撮影する場合では、技師が放射線発生部切換えボタン４０６を選択すると表示部４０８が点灯して透過型放射線発生部４２２が使用できる状態になる。そして、技師が放射線撮影部切換えボタン４１０を選択すると表示部４１２が点灯して放射線撮影部１０３が使用できる状態になる。
【００７８】
反射型放射線発生部４２０の操作に慣れた技師が透過型放射線発生部４２２を用いて放射線撮影を行う場合、技師は反射スイッチ４１６を押して反射表示部４１７を点灯させる。この状態で、反射型放射線発生部４２０で撮影する時の撮影条件を設定して放射線撮影を行えば、制御部４０１が自動的に反射型放射線撮影条件を透過型放射線撮影条件に変換する。技師は反射型放射線撮影条件および透過型放射線撮影条件における電力効率の違いを考えなくてもよい。
【００７９】
しかし、反射型放射線発生部４２０と透過型放射線発生部４２２には、最大電力容量、焦点サイズ、フィルタなどの違いより様々のタイプが存在する。そのため、反射型放射線発生部４２０と透過型放射線発生部４２２の電力効率が常に一定の値とは限らない。そこで、反射型放射線発生部４２０と透過型放射線発生部４２２から照射される放射線線量を等しくするために、制御部４０１は撮影条件毎に電力効率のテーブルを作成する機能を持つ（以下、キャリブレーションという）。
【００８０】
制御部４０１は、キャリブレーション用の撮影条件に含まれる管電圧および管電流と、管電圧および管電流に基づいて取得される電力量に対して出力される放射線線量を示す電力効率と、を対応づけたテーブルを生成する。  図６は、撮影条件毎の電力効率をテーブルにした一例を示す図であり、図６に示した電力効率のテーブルの作成方法について以下説明する。
【００８１】
キャリブレーション用の撮影条件は、管電圧は４０ｋＶ、８０ｋＶ、１００ｋＶ、１３０ｋＶの４種類、管電流は４０ｍＡ、８０ｍＡ、１２０ｍＡの３種類、照射時間は０．１秒の１種類である。また、キャリブレーションは第１の種別の放射線発生装置（反射型放射線発生部４２０）と第２の種別の放射線発生装置（透過型放射線発生部４２２）の２つの放射線発生部と、放射線撮影部１００の１つの放射線撮影部を用いて行う。
【００８２】
制御部４０１は、キャリブレーション用の撮影条件により第１の種別の放射線発生装置で放射線撮影を行った結果と、キャリブレーション用の撮影条件により第２の種別の放射線発生装置で放射線撮影を行った結果とを比較する。そして、制御部４０１は比較に結果に基づいて撮影条件の変換を行うためのテーブルを生成する。
【００８３】
例えば、ＧＵＩ４０４にはキャリブレーションボタンが表示されており、技師がキャリブレーションボタンを押すと、放射線撮影システム４００はキャリブレーションモードになる。制御部４０１はキャリブレーションの条件として、照射時間を０．１秒、管電圧を４０ｋＶ、管電流を４０ｍＡに設定する。次に、技師は放射線撮影部１００から２００ｃｍ離れた位置に反射型放射線発生部４２０を配置し、被検者１０１がいない状態で放射線照射スイッチ３０３を押して放射線撮影を行う。放射線撮影が終了すると、放射線撮影部１００は無線通信で撮影した放射線画像を制御部４０１に転送する。
【００８４】
制御部４０１は撮影した放射線画像を受信すると、放射線画像の所定領域内の平均画素値を計算して、不図示の記憶部に管電圧４０ｋＶ、管電流４０ｍＡ、平均画素値を記憶する。次に、放射線撮影システム４００の制御部４０１は管電流を８０ｍＡ、１２０ｍＡ、管電圧を８０ｋＶ、１００ｋＶ、１３０ｋＶと変化させ、全ての管電圧、管電流で放射線撮影を行い、管電圧、管電流、平均画素値を記憶する。
【００８５】
そして、反射型放射線発生部４２０での撮影が終了したら、技師は反射型放射線発生部４２０を移動し、今度は透過型放射線発生部４２２を反射型放射線発生部４２０が撮影した位置に移動させ、先程と同じ処理を繰り返す。この処理が終わると、制御部４０１は、同じキャリブレーション条件の時の反射型放射線発生部４２０と透過型放射線発生部４２２との平均画素値を比較して電力効率を計算する。そして、全ての撮影条件について電力効率を計算して記憶すると、図６に示した撮影条件毎の電力効率のテーブルが生成され、例えば、制御部４０１は生成したターブルをＧＵＩ４０４に表示してキャリブレーション処理を終了する。
【００８６】
電力効率のテーブルを用いると、制御部４０１は反射型放射線撮影条件を透過型放射線撮影条件に正確に変換できるようになり、逆に、制御部４０１は透過型放射線撮影条件を反射型放射線撮影条件にも正確に変換できるようになる。また、第３実施形態においては、管電圧は４０ｋＶ、８０ｋＶ、１００ｋＶ、１３０ｋＶの４種類、管電流は４０ｍＡ、８０ｍＡ、１２０ｍＡの３種類について説明した。例えば、管電圧が６０ｋＶ、管電流が１００ｍＡの場合、制御部４０１は管電圧が４０ｋＶと８０ｋＶ、管電流が８０ｍＡ、１２０ｍＡの電力効率の値から補間処理により、管電圧が６０ｋＶ、管電流が１００ｍＡの場合の画素値を取得できる。
【００８７】
以上説明したように、キャリブレーション処理は制御部４０１が管電圧と管電流を自動的に変化させるとして説明したが、この構成に限定されるものではない。例えば、管電流や管電圧が変化しても電力効率が変わらなければ、１つの撮影条件で行えば十分である。また、技師が任意の撮影条件を設定することができる。この場合、技師はＧＵＩ４０４を介して撮影条件を設定することができる。また、技師はＧＵＩ４０４を介して、キャリブレーションの結果により生成されたテーブルの編集を行うことも可能である。
【００８８】
また、キャリブレーション処理は放射線撮影部１００を用いて行うとして説明したが、それに限定されるものではなく、放射線撮影部１００と放射線撮影部１０３の両方を用いてもよいし、別の放射線線量計等を用いてもよい。放射線線量計を用いてキャリブレーション処理を行う場合、キャリブレーション処理は制御部４０１が自動で行う必要はなく、例えば、技師が手動で電力効率を計算し、図６に示した電力効率のテーブルを、ＧＵＩ４０４を介して作成してもよい。電力効率のテーブルの作成、変更に関しては、制御部４０１が自動で行ってもよいし、技師が手動で行ってもよい。また、電力効率が経時的に変化する場合は、キャリブレーション処理を定期的に行ってもよい。その場合、電力効率のテーブルは新しいデータで更新される。
【００８９】
また、本実施形態において、放射線撮影システム４００は、天井保持式の１つの反射型放射線発生部４２０と天井保持式の１つの透過型放射線発生部４２２とを有する構成を例示的に説明した。放射線撮影システム４００の構成は、この構成例に限定されるものではなく、例えば、天井保持式の１つの透過型放射線発生部４２２は第１実施形態で説明したポータブル式の透過型放射線発生装置でもよい。または、天井保持式の１つの反射型放射線発生部４２０、ポータブル式の反射型放射線発生装置でもよい。  また、放射線撮影システム４００は、放射線撮影部１００と放射線撮影部１０３の２つの放射線撮影部があるとして説明してきたが、それに限定されるものではなく、例えば１つの放射線撮影部だけでもよい。
【００９０】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００９１】
１００  放射線撮影部、１０３  放射線撮影部、
２００  透過型放射線発生装置、２０５  制御部
【図１】
0006463922.tif 000002
【図２】
0006463922.tif 000003
【図３】
0006463922.tif 000004
【図４】
0006463922.tif 000005
【図５】
0006463922.tif 000006
【図６】
0006463922.tif 000007
【図７】
0006463922.tif 000008